(57)【要約】        【課題】  例えば車室内に配置されるカップホルダー装置に関し、ホルダー本体のスライドに連動させて折り畳み可能なカップ受け具であって、カップの底を載置する載置部の長さを拡大することができるようにすることを目的とする。        【解決手段】  カップホルダー装置10は、取付ベース30、ホルダー本体50、カップ受け具60を備える。カップ受け具60には、ホルダー本体50の奥側に一端部が回転可能に支持されるとともに、他端部にカップＣの底を載置可能な第１載置部122を有する第１カップ受け部120、ホルダー本体50の手前側に一端部が回転可能に支持されるとともに、他端部に第１載置部122から離れて対向するとともに、カップＣの底を載置可能な第２載置部132を有する第２カップ受け部130を備える。    【選択図】    図１
2005096614.tif 000002
【特許請求の範囲】
【請求項１】
取付ベースと、
前記取付ベースに対してスライド可能に保持され、前記取付ベース内に収納可能であるとともに、
前記取付ベースから引き出した状態で、カップを上方から受け入れるカップ穴を有するホルダー本体と、
前記ホルダー本体を前記取付ベースから引き出した際に、前記カップ穴の下側に展開して、前記カップ穴から挿入された前記カップの底を載置可能であるとともに、
前記取付ベース内に収納した際に、折り畳まれた状態で前記取付ベース内に収納可能なカップ受け具とを備えるカップホルダー装置において、
前記カップ受け具には、
前記ホルダー本体の奥側に一端部が回転可能に支持されるとともに、他端部に前記カップの底を載置可能な第１載置部を有する第１カップ受け部と、
前記ホルダー本体の手前側に一端部が回転可能に支持されるとともに、他端部に前記第１載置部から離れて対向するとともに、前記カップの底を載置可能な第２載置部を有する第２カップ受け部とを備えていることを特徴とするカップホルダー装置。
【請求項２】
請求項１に記載のカップホルダー装置において、
前記第１カップ受け部と前記第２カップ受け部との間には、
前記ホルダー本体を前記取付ベース内に押し込む動作に連動して、前記第１カップ受け部をその一端部から回転させて折り畳むとともに、前記第２カップ受け部をその一端部から回転させて折り畳むことで、前記第１カップ受け部と前記第２カップ受け部とを前記取付ベース内に収納する折り畳み手段を備えていることを特徴とするカップホルダー装置。
【請求項３】
請求項２に記載のカップホルダー装置において、
前記折り畳み手段は、
前記第１カップ受け部の他端部から第２カップ受け部の他端部に向かって延びるフックと、
前記第２カップ受け部の他端部に設けられ、前記第１カップ受け部がその一端部から回転した際に、前記フックに引っ掛かるバーとを備えていることを特徴とするカップホルダー装置。
【発明の詳細な説明】
【技術分野】
【０００１】
この発明は、例えば車室内に配置されるカップホルダー装置のカップ受け具の改良に関するものである。すなわち、ホルダー本体のスライドに連動させて折り畳み可能なカップ受け具であって、カップの底を載置する載置部の長さを拡大することができるようにしたものである。
【背景技術】
【０００２】
従来、ホルダー本体のカップ挿入穴の下側に、カップの底を載置するための載置部を有するカップ受け具を取り付け、カップ受け具をホルダー本体のスライドに連動させて折り畳み可能にしたカップホルダー装置が知られている（例えば、特許文献１〜５参照）。
上記した従来のカップ受け具は、二分割される第１、第２カップ受け部を、リンク機構を使用して互いに連結して、折り畳めるようにしていた。
【特許文献１】特開平2-74430号公報（第４図）
【特許文献２】特開平2-102841号公報（第１〜２図）
【特許文献３】実開平4-41421号公報（第１〜４図）
【特許文献４】実開平4-50531号公報（第１〜２図）
【特許文献５】実用新案登録第2552086号公報（第６図）
【発明の開示】
【発明が解決しようとする課題】
【０００３】
しかし、上記した従来のカップ受け具では、カップの底を載置するための載置部が短く、カップの安定性に欠けるおそれがあるという第一の問題点がある。
また、上記した従来のカップ受け具は、リンク機構を利用していたので、構造が複雑であり、又、リンク機構の部分から異音が発生するおそれがあるという第二の問題点がある。
【０００４】
すなわち、リンク機構の部分から異音が発生すると、カップホルダー装置を車室内に装着した場合には、車室内の静寂感を損なうおそれがあった。
そこで、各請求項にそれぞれ記載された各発明は、上記した従来の技術の有する第一、第二の問題点に鑑みてなされたものであり、その目的とするところは、次の点にある。
（請求項１）
すなわち、請求項１に記載の発明は、二分割された第１、第２カップ受け部に載置部を個々に設けるとともに、両載置部を互いに離隔させることで、載置部の全体の長さを拡大することができるようにしたものである。
【０００５】
また、請求項１に記載の発明は、従来のリンク機構を省いて、二分割された第１、第２カップ受け部を互いに離隔させることで、異音の発生を減少することができるようにしたものである。
（請求項２）
請求項２に記載の発明は、上記した請求項１に記載の発明の目的に加え、次の点を目的とする。
【０００６】
すなわち、請求項２に記載の発明は、ホルダー本体を取付ベースに押し込む動作に連動させて、第１、第２カップ受け部を折り畳むことができるようにしたものである。
（請求項３）
請求項３に記載の発明は、上記した請求項２に記載の発明の目的に加え、次の点を目的とする。
【０００７】
すなわち、請求項３に記載の発明は、折り畳み手段の構造を簡便にすることができるようにしたものである。
【課題を解決するための手段】
【０００８】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【０００９】
第一に、カップホルダー装置(10)は、例えば図１〜２に示すように、次の構成を備える。
（１）取付ベース(30)
（２）ホルダー本体(50)
ホルダー本体(50)は、例えば図１〜３及び図１０に示すように、取付ベース(30)に対してスライド可能に保持され、取付ベース(30)内に収納可能であるとともに、取付ベース(30)から引き出した状態で、カップ(C)を上方から受け入れるカップ穴(51)を有するものである。
【００１０】
（３）カップ受け具(60)
カップ受け具(60)は、例えば図１〜４に示すように、ホルダー本体(50)を取付ベース(30)から引き出した際に、カップ穴(51)の下側に展開して、カップ穴(51)から挿入されたカップ(C)の底を載置可能であるとともに、取付ベース(30)内に収納した際に、折り畳まれた状態で取付ベース(30)内に収納可能なものである。
【００１１】
第二に、カップ受け具(60)には、例えば図１〜４に示すように、次の構成を備える。
（４）第１カップ受け部(120)
第１カップ受け部(120)は、例えば図４に示すように、ホルダー本体(50)の奥側に一端部が回転可能に支持されるとともに、他端部にカップ(C)の底を載置可能な第１載置部(122)を有するものである。
【００１２】
（５）第２カップ受け部(130)
第２カップ受け部(130)は、例えば図４に示すように、ホルダー本体(50)の手前側に一端部が回転可能に支持されるとともに、他端部に第１載置部(122)から離れて対向するとともに、カップ(C)の底を載置可能な第２載置部(132)を有するものである。
（請求項２）
請求項２に記載の発明は、上記した請求項１に記載の発明の特徴点に加え、次の点を特徴とする。
【００１３】
すなわち、第１カップ受け部(120)と第２カップ受け部(130)との間には、例えば図４に示すように、折り畳み手段(140)を備える。
折り畳み手段(140)は、例えば図１０〜１４に示すように、ホルダー本体(50)を取付ベース(30)内に押し込む動作に連動して、第１カップ受け部(120)をその一端部から回転させて折り畳むとともに、第２カップ受け部(130)をその一端部から回転させて折り畳むことで、第１カップ受け部(120)と第２カップ受け部(130)とを取付ベース(30)内に収納するものである。
（請求項３）
請求項３に記載の発明は、上記した請求項２に記載の発明の特徴点に加え、次の点を特徴とする。
【００１４】
すなわち、折り畳み手段(140)は、例えば図４に示すように、次の構成を備える。
（１）フック(141)
フック(141)は、例えば図４に示すように、第１カップ受け部(120)の他端部から第２カップ受け部(130)の他端部に向かって延びるものである。
（２）バー(142)
バー(142)は、例えば図４に示すように、第２カップ受け部(130)の他端部に設けられ、第１カップ受け部(120)がその一端部から回転した際に、フック(141)に引っ掛かるものである。
【発明の効果】
【００１５】
本発明は、以上のように構成されているので、以下に記載されるような効果を奏する。
（請求項１）
請求項１に記載の発明によれば、次のような効果を奏する。
すなわち、請求項１に記載の発明によれば、二分割された第１、第２カップ受け部に載置部を個々に設けるとともに、両載置部を互いに離隔させることで、載置部の全体の長さを拡大することができる。
【００１６】
また、請求項１に記載の発明によれば、従来のリンク機構を省いて、二分割された第１、第２カップ受け部を互いに離隔させることで、異音の発生を減少することができる。
（請求項２）
請求項２に記載の発明によれば、上記した請求項１に記載の発明の効果に加え、次のような効果を奏する。
【００１７】
すなわち、請求項２に記載の発明によれば、ホルダー本体を取付ベースに押し込む動作に連動させて、第１、第２カップ受け部を折り畳むことができる。
（請求項３）
請求項３に記載の発明によれば、上記した請求項２に記載の発明の効果に加え、次のような効果を奏する。
【００１８】
すなわち、請求項３に記載の発明によれば、折り畳み手段の構造を簡便にすることができる。
【発明を実施するための最良の形態】
【００１９】
（図面の説明）
図１〜１４は、本発明の第一の実施の形態の一例をそれぞれ示すものである。
図１は、ホルダー本体を引き出した状態のカップホルダー装置の側面図、図２はホルダー本体を引き出した状態のカップホルダー装置の斜視図、図３はホルダー本体を引き出した状態のカップホルダー装置の平面図、図４はカップ受け具の分解斜視図、図５はカップ保持具の平面図、図６は第１、第２アームの斜視図、図７は第２アームの斜視図、図８はガイド溝の斜視図、図９はカップ保持具の動作を説明するための平面図、図１０はホルダー本体の収納状態のカップホルダー装置の側面図、図１１はホルダー本体を押し込む途中のカップホルダー装置の側面図、図１２はホルダー本体を押し込む途中のカップホルダー装置の平面図、図１３は図１１の状態からホルダー本体を更に押し込んだ状態を示すカップホルダー装置の側面図、図１４は図１３の状態からホルダー本体を更に押し込んだ状態を示すカップホルダー装置の側面図をそれぞれ示すものである。
【００２０】
図１５は、本発明の第二の実施の形態の一例を示すものであり、同図はカップ保持具の一部斜視図を示すものである。
（カップホルダー装置10）
図１〜３中、10は、カップホルダー装置を示すものである。
上記カップホルダー装置10は、図１に示すように、例えば車内のインストルメント・パネル20に固定される。
【００２１】
なお、カップホルダー装置10の取付位置は、インストルメント・パネル20に限定されず、例えばセンターコンソールやアームレスト等でも良い。また、カップホルダー装置10の取付位置は、自動車に限定されず、航空機、船舶等にも使用できる。
具体的には、カップホルダー装置10は、図１〜３に示すように、大別すると、次のパーツを備える。
【００２２】
（１）取付ベース30
（２）スライダー40
（３）ホルダー本体50
（４）カップ受け具60
なお、カップホルダー装置10のパーツは、上記した（１）〜（４）に限定されない。例えば、スライダー40を省き、ホルダー本体50を取付ベース30に対して直接、スライド可能に保持しても良い。
（取付ベース30）
取付ベース30は、図１及び図１０に示すように、インストルメント・パネル20に埋設状に固定され、スライダー40及びホルダー本体50は、インストルメント・パネル20の出入り口21から出入りする。
【００２３】
具体的には、取付ベース30には、図３に示すように、次のパーツを備える。
（１）ロック手段70のロックピン71
（２）押出装置80
（３）摺接装置90
なお、取付ベース30のパーツは、上記した（１）〜（３）に限定されない。
（スライダー40）
スライダー40は、図１〜３及び図１０に示すように、取付ベース30に対してスライド可能に保持され、取付ベース30内に収納可能なものである。
【００２４】
具体的には、スライダー40には、図１に示すように、次のパーツを備える。
なお、スライダー40のパーツは、次の（１）に限定されない。
（１）弾性突起部41
弾性突起部41は、図１に示すように、スライダー40の下面から上方に突出し、ホルダー本体50に弾性的に当接するものである。
【００２５】
なお、弾性突起部41には、板ばねを使用しているが、これに限定されない。
（ホルダー本体50）
ホルダー本体50は、図１〜３及び図１０に示すように、スライダー40に対してスライド可能に保持され、スライダー40とともに取付ベース30内に収納可能で、スライダー40から引き出した状態で、カップＣを上方から受け入れるカップ穴51を有するものである。
【００２６】
カップＣには、飲料を入れた缶やペットボトル、コップ等を含むものである。
具体的には、ホルダー本体50には、図１〜３に示すように、大別すると、次のパーツを備える。
（１）カップ収納部52
（２）取手部53
（３）ガイド筒54
（４）ロック手段70のカム溝72
（５）カップ保持具100
（６）カップ押圧具110
なお、ホルダー本体50のパーツは、上記した（１）〜（６）に限定されない。
（カップ収納部52）
カップ収納部52は、図１〜３に示すように、側面が開放したＣ字形に形成されている。カップ収納部52は、後述するが、カップ保持具100との間にカップＣを上方から挿入可能なカップ穴51を形成するものである。
（取手部53）
取手部53は、図１〜３に示すように、ホルダー本体50の手前側に位置し、斜め下方に向かって延び、指を掛けてホルダー本体50を手前に引き出すためのものである。
（ガイド筒54）
ガイド筒54は、図１に示すように、ホルダー本体50の後部に位置し、スライダー40の弾性突起部41に当接するものである。
【００２７】
すなわち、図１に示すように、ホルダー本体50を手前に引き出した状態から、図１３に示すように、ホルダー本体50を押し込むと、ガイド筒54が弾性突起部41を乗り越えて、スライダー40に対してホルダー本体50が後退する。
ガイド筒54が弾性突起部41を乗り越える際に、適度なクリックが発生し、又、ホルダー本体50の不用意な前進が阻止される。
【００２８】
同様に、図１３に示すように、後退したホルダー本体50を、図１に示すように、手前に引き出すと、ガイド筒54が弾性突起部41を乗り越えて、スライダー40に対してホルダー本体50が前進する。
その際にも、適度なクリックが発生し、又、ホルダー本体50の不用意な後退が防止される。
（カップ受け具60）
カップ受け具60は、図１〜４及び図１０に示すように、ホルダー本体50を取付ベース30から引き出した際に、カップ穴51の下側に展開して、カップ穴51から挿入されたカップＣの底を載置可能であるとともに、取付ベース30内に収納した際に、折り畳まれた状態で取付ベース30内に収納可能なものである。
【００２９】
具体的には、カップ受け具60は、図４に示すように、次のパーツを備える。
（１）第１カップ受け部120
（２）第２カップ受け部130
（３）折り畳み手段140
なお、カップ受け具60のパーツは、上記した（１）〜（３）に限定されない。
（第１カップ受け部120）
第１カップ受け部120は、図４に示すように、全体が略Ｌ字形に屈曲している。
【００３０】
具体的には、第１カップ受け部120は、図４に示すように、ホルダー本体50の奥側に一端部が、軸121により回転可能に支持されるとともに、他端部にカップＣの底を載置可能な第１載置部122を有するものである。
そして、第１カップ受け部120は、図１〜４に示すように、軸121を中心に下方に回転して突出するように、第１突出手段123により付勢されている。
【００３１】
第１突出手段123には、図４に示すように、スプリングを使用し、その両巻き端部をホルダー本体50と第１カップ受け部120とにそれぞれ係止することで、スプリングが巻き解くばね復元力により、第１カップ受け部120をその軸121を中心に下方に回転するように付勢する。
なお、第１突出手段123は、スプリングに限定されず、他のばねやゼンマイ等を使用しても良い。
【００３２】
また、第１カップ受け部120の一端部から第１載置部122に至る下面を、図４に示すように、手前側に向かって斜めに下り傾斜した斜面としている。当該斜面は、ホルダー本体50がスライダー40に対して後退した際に、スライダー40の底壁の手前側の縁部に押され、第１カップ受け部120をその軸121を中心に上方に回転する回転力を発生させる。
（第２カップ受け部130）
第２カップ受け部130は、図４に示すように、全体が略Ｌ字形に屈曲している。
【００３３】
具体的には、第２カップ受け部130は、図４に示すように、カップ穴51を挟んで、ホルダー本体50の手前側に一端部が、軸131により回転可能に支持されるとともに、他端部に第１載置部122から離れて対向するとともに、カップＣの底を載置可能な第２載置部132を有するものである。第２カップ受け部130の軸131は、第１カップ受け部120の軸121と、カップ穴51を挟んで対向する。
【００３４】
そして、第２カップ受け部130は、図１〜４に示すように、軸131を中心に下方に回転して突出するように、第２突出手段133により付勢されている。
第２突出手段133には、図４に示すように、スプリングを使用し、その両巻き端部をホルダー本体50と第２カップ受け部130とにそれぞれ係止することで、スプリングが巻き解くばね復元力により、第２カップ受け部130をその軸131を中心に下方に回転するように付勢する。
【００３５】
なお、第２突出手段133は、スプリングに限定されず、他のばねやゼンマイ等を使用しても良い。
（折り畳み手段140）
折り畳み手段140は、図１０〜１４に示すように、第１カップ受け部120と第２カップ受け部130との間に位置し、ホルダー本体50を取付ベース30内に押し込む動作に連動して、第１カップ受け部120をその一端部から回転させて折り畳むとともに、第２カップ受け部130をその一端部から回転させて折り畳むことで、第１カップ受け部120と第２カップ受け部130とを取付ベース30内に収納するものである。
【００３６】
具体的には、折り畳み手段140には、図４に示すように、次のパーツを備える。
なお、折り畳み手段140のパーツは、次の（１）〜（２）に限定されない。
（１）フック141
フック141は、図４に示すように、第１カップ受け部120の他端部から第２カップ受け部130の他端部に向かって延びるものである。
【００３７】
（２）バー142
バー142は、図４に示すように、第２カップ受け部130の他端部に設けられ、第１カップ受け部120がその一端部から回転した際に、フック141に引っ掛かるものである。
バー142には、図４に示すように、フック141がはまり込む切欠部143を隣接して設けている。
（ロック手段70）
ロック手段70は、図３に示すように、押出装置80がスライダー40を押し出そうとする力に抗して、スライダー40及びホルダー本体50を取付ベース30内の収納位置にロックするためのものである。
【００３８】
具体的には、図３に示すように、取付ベース30に、ロックピン71を設け、ホルダー本体50にカム溝72を設けている。
なお、ロック手段70は、ロックピン71とカム溝72に限定されず、ロックピンとフックの組み合わせや、或いは浮き出しラッチとストライクを組み合わせて使用しても良い。
収納位置では、図示しないが、ロックピン71が、カム溝72にロックされることで、取付ベース30がホルダー本体50に対してロックされ、スライダー40は、ホルダー本体50を介して取付ベース30にロックされる。
【００３９】
ホルダー本体50を引き出す際には、図示しないが、ホルダー本体50を押し込むと、ロックピン71がカム溝72から開放され、スライダー40が押出装置80により、出入り口21から途中まで押し出される。
（押出装置80）
押出装置80は、図３に示すように、取付ベース30の奥側に位置し、スライダー40を出入り口21に向かって途中まで押し出すためのものである。
【００４０】
なお、押出装置80には、スプリングを使用しているが、これに限定されない。
（摺接装置90）
摺接装置90は、図３に示すように、取付ベース30の左右両側に位置し、スライダー40に弾性的に当接することで、スライダー40の左右方向のガタ付きを防止したり、或いはスライダー40をスライドする際に適度な摩擦力を付与するためのものである。
【００４１】
なお、摺接装置90には、板ばねを使用しているが、これに限定されない。
（カップ保持具100）
カップ保持具100は、図３及び図１２に示すように、カップ収納部52の開放側面に支持され、ホルダー本体50を取付ベース30から引き出した際に、カップ収納部52との間にカップＣを上方から挿入可能なカップ穴51を形成するとともに、取付ベース30内に収納した際に、折り畳まれた状態で取付ベース30内に収納可能なものである。
【００４２】
具体的には、カップ保持具100は、図５〜６に示すように、次のパーツを備える。
（１）第１アーム150
（２）第２アーム160
（３）ガイド装置170
なお、カップ保持具100のパーツは、上記した（１）〜（３）に限定されない。
（第１アーム150）
第１アーム150は、図５〜６に示すように、全体が円弧状に屈曲している。
【００４３】
具体的には、第１アーム150は、図５〜６に示すように、一端部が、軸151によりカップ収納部52の開放側面に臨む一端部に回転可能に支持されるものである。そして、第１アーム150は、その軸151を中心にカップ穴51を拡径する方向に第１付勢手段152により付勢されている。
第１付勢手段152は、図６に示すように、スプリングを使用し、その両巻き端部をホルダー本体50と第１アーム150とにそれぞれ係止することで、スプリングが巻き解くばね復元力により、第１アーム150をその軸151を中心にカップ穴51を拡径する方向に付勢する。
【００４４】
なお、第１付勢手段152は、スプリングに限定されず、他のばねやゼンマイ等を使用しても良い。
（第２アーム160）
第２アーム160は、図５〜７に示すように、全体が円弧状に屈曲し、第１アーム150と比較して短く形成されている。
【００４５】
具体的には、第２アーム160は、図５〜７に示すように、一端部が軸161により第１アーム150の他端部に回転可能に支持されるとともに、他端部がカップ収納部52の開放側面に臨む他端部にスライド可能に支持されるものである。そして、第２アーム160は、その軸161を中心にカップ穴51を縮径する方向に第２付勢手段162により付勢されている。
第２付勢手段162には、図７に示すように、スプリングを使用し、その両巻き端部を第１アーム150と第２アーム160とにそれぞれ係止することで、スプリングが巻き解くばね復元力により、第２アーム160をその軸161を中心にカップ穴51を縮径する方向に付勢する。
【００４６】
なお、第２付勢手段162は、スプリングに限定されず、他のばねやゼンマイ等を使用しても良い。
（ガイド装置170）
ガイド装置170は、図５に示すように、第２アーム160の他端部と、カップ収納部52の他端部との間に位置する。
【００４７】
ガイド装置170は、図５に示すように、第２アーム160の他端部、すなわち後述するトレースピン190を、次の位置にスライド可能にガイドするためのものである。
なお、ガイド装置170がガイドする位置は、次の（１）〜（３）に限定されず、他の位置にガイドしたり、或いはロックしても良い。
（１）収納位置
収納位置は、図５及び図１２に示すように、第１アーム150及び第２アーム160が取付ベース30内に収納された位置であり、当該収納位置に第２アーム160のトレースピン190をガイドしている。
【００４８】
なお、収納位置に第２アーム160のトレースピン190を単にガイドしたが、当該位置にロックしても良い。
（２）展開位置
展開位置は、図３及び図５に示すように、第１アーム150がカップ収納部52の開放側面から突出した位置であり、当該展開位置に第２アーム160のトレースピン190をガイドしている。
【００４９】
なお、展開位置に第２アーム160のトレースピン190を単にガイドしたが、当該位置にロックしても良い。
（３）中間位置
中間位置は、収納位置と展開位置との間に位置し、当該中間位置に、第２アーム160のトレースピン190をロックできるようにしている。
【００５０】
具体的には、ガイド装置170は、例えば図５〜６及び図８に示すように、パーツを備える。
（４）ガイド溝180
（５）トレースピン190
なお、ガイド装置170のパーツは、上記した（４）〜（５）に限定されない。
（ガイド溝180）
ガイド溝180は、図５及び図８に示すように、第２アーム160の他端部のスライド方向に沿ってホルダー本体50に設けたものである。
【００５１】
具体的には、ガイド溝180には、図８に示すように、次の各部を含む。
なお、ガイド溝180の各部は、次の（１）〜（６）に限定されない。
（１）島181
島181は、図８に示すように、ガイド溝180の底から隆起したものである。
（２）収納部182
収納部182は、図８に示すように、島181の一端部に位置し、収納位置にトレースピン190をガイドするためのものであり、溝の底の深さを最も深く形成している。
【００５２】
（３）往路183
往路183は、図８に示すように、島181の一側に面し、溝の底の深さが収納部182から徐々に浅くなるように形成している。
（４）展開部184
展開部184は、図８に示すように、往路183の最浅端に位置し、展開位置にトレースピン190をガイドするためのものであり、溝の底の深さを最も浅く形成している。
【００５３】
（５）帰路185
帰路185は、図８に示すように、島181の他側に面し、溝の底の深さが展開部184から徐々に深くなって、収納部182に至るように形成されている。そして、展開部184にガイドされたトレースピン190は、帰路185の底の深さが展開部184から徐々に深くなっていることから、往路183には戻らず、帰路185に進む。
【００５４】
（６）ロック部186
ロック部186は、図８に示すように、島181の他側に設けられ、凹状に凹むとともに、帰路185に連通し、中間位置にトレースピン190をロックするためのものである。ロック部186にロックされたトレースピン190は、ロック解除後は、帰路185を通って収納部182に戻る。その結果、トレースピン190は、島181の周囲を一方向に巡回することとなる。
（トレースピン190）
トレースピン190は、図５〜６に示すように、ガイド溝180をトレースするものであり、第２アーム160の他端部に設けられている。
【００５５】
トレースピン190は、図６に示すように、ガイド溝180の深さに応じて軸方向に移動可能に形成するとともに、ガイド溝180の底に向かって第３付勢手段191より付勢されている。
第３付勢手段191には、図６に示すように、スプリングを使用し、第２アーム160とトレースピン190との間で圧縮することで、そのばね復元力により、トレースピン190をガイド溝180の底に向かって付勢する。
【００５６】
なお、第３付勢手段191は、スプリングに限定されず、他のばね等を使用しても良い。
（カップ保持具100の作動原理）
第１付勢手段152により、図９に示すように、軸151を中心として時計回りに第１アーム150を回転するトルクT1が発生する。
同様に、第２付勢手段162により、図９に示すように、軸161を中心として反時計回りに第２アーム160を回転するトルクT2が発生する。
【００５７】
カップ保持具100が中間位置にロックされている場合、すなわち第２アーム160のトレースピン190が、ロック部186にロックされていると仮定した場合には、第２付勢手段162のトルクT2は、図９に示すように、第２アーム160に伝達され、そのトレースピン190を中心として反時計回りに第２アーム160を回転する伝達力t2が作用する。
上記伝達力t2は、図９に示すように、第１アーム150に伝達され、その軸151を中心として反時計回りに第１アーム150を回転する伝達力t1が作用する。
【００５８】
ここで、伝達力t1と、第１付勢手段152のトルクT1とを、次の関係に設定する。
t1＞T1
上記したように、伝達力t1より、第１付勢手段152のトルクT1を小さく設定すると、第１アーム150と第２アーム160とが、図９の実線の位置で静止する。
このとき、第１アーム150を拡径する方向に力が作用すると、第１アーム150と第２アーム160とが、図９の二点鎖線の位置迄、移動するが、このとき、第１アーム150の作用点ａ，ｂに、次のような縮径力Ｆが発生する。
【００５９】
Ｆ＝（t1−T1）／Ｒ
上記Ｒは、縮径力Ｆの作用点ａ，ｂと第１アーム150の軸151迄の距離である。
上記両作用点ａ，ｂの間のラップ量Ｌを、１mmに設定している。
すなわち、図５に示すように、中間位置におけるカップ穴51の内径ｌを、５２mmに設定している。カップＣである１９０mlや２５０mlの缶の直径は、５３mmであることから、上記ラップ量Ｌの１mmを差し引いて、中間位置におけるカップ穴51の内径ｌを５２mmと決めている。
【００６０】
このため、直径の５３mmの１９０mlや２５０mlの缶を、カップ穴51に挿入すると、第１アーム150が押し広げられるが、このとき縮径力Ｆが発生し、缶が第１アーム150により弾性的に保持される。
（使用方法）
上記構成を備えるカップホルダー装置10の使用方法について、以下に説明する。
（引き出し方法）
収納状態のホルダー本体50を引き出すには、取手部53を取付ベース30に向かって少し押し込めば良い。
【００６１】
取手部53が押し込まれると、図示しないが、ロックピン71がカム溝72から係脱し、スライダー40が、押出装置80のばね復元力により、取付ベース30の出入り口21に向かって途中まで押し出される。
その後、ホルダー本体50の取手部53に指を掛けて、図１〜３に示すように、手前に引き出せば良い。
【００６２】
ホルダー本体50を引き出すと、ホルダー本体50は、スライダー40に対して前進する。
ホルダー本体50を更に引き出すと、スライダー40がホルダー本体50と一体的に、取付ベース30に対して前進する。
（カップ受け具60の展開）
ホルダー本体50を引き出すと、図１〜２に示すように、折り畳まれていたカップ受け具60が、下方に展開する。
【００６３】
すなわち、第１カップ受け部120は、第１突出手段123のばね復元力により、その軸121を中心として下方に回転して、カップ穴51の下方に突出する。
同時に、第２カップ受け部130も、第２突出手段133のばね復元力により、その軸131を中心として下方に回転して、カップ穴51の下方に突出する。
（カップ保持具100の展開位置への移動）
一方、カップ保持具100も、図５に示すように、折り畳まれていた状態から横向きに突出する。
【００６４】
すなわち、第１アーム150が、第１付勢手段152のばね復元力により、その軸151を中心としてカップ穴51を拡径する方向に回転して、カップ収納部52の開放側面から横向きに突出する。
第１アーム150が回転することで、軸161で連結された第２アーム160も移動し、そのトレースピン190が収納部182から往路183を通って展開部184に移動する。
【００６５】
このとき、カップ穴51の内径が最大になる。
（カップ保持具100の中間位置への移動）
一方、カップＣである１９０mlや２５０mlの缶を挿入する場合には、第１付勢手段152のばね復元力に抗して、第１アーム150をカップ収納部52に向かって押し込めば良い。
第１アーム150を押し込むと、第１アーム150が、その軸151を中心としてカップ穴51を縮径する方向に回転する。
【００６６】
第１アーム150が回転することで、軸161で連結された第２アーム160も移動し、図５に示すように、そのトレースピン190が展開部184から帰路185を通ってロック部186にはまり込んでロックされる。
（収納方法）
つぎに、図１に示すように、引き出した状態のホルダー本体50を取付ベース30内に収納するには、図１０〜１４に示すように、取手部53を取付ベース30に向かって押し込めば良い。
【００６７】
ホルダー本体50が押し込まれると、スライダー40がホルダー本体50に押されて、取付ベース30内を後退する。
ホルダー本体50が更に押し込まれると、ホルダー本体50がスライダー40に対して後退する。
そして、ホルダー本体50のカム溝72が、図示しないが、取付ベース30の奥のロックピン71に係合し、やがてロックピン71がカム溝72中にロックされることで、スライダー40及びホルダー本体50が、図１０に示すように、取付ベース30内の収納位置にロックされる。
【００６８】
このとき、取付ベース30内の押出装置80が、図示しないが、スライダー40に押されてばね復元力を蓄積する。
（カップ受け具60の折り畳み）
ホルダー本体50を押し込むと、図１０〜１４に示すように、カップ受け具60が折り畳まれながら、スライダー40内に収納される。
【００６９】
すなわち、第１カップ受け部120の斜めに傾斜した斜面が、スライダー40に押され、第１突出手段123のばね力に抗して、その軸121を中心として上方に回転する。
このとき、第１カップ受け部120のフック141が、第２カップ受け部130のバー142に引っ掛かり、第２カップ受け部130を、第２突出手段133のばね力に抗して、その軸131を中心として上方に回転することで、第１カップ受け部120と第２カップ受け部130とが折り畳まれた状態でスライダー40内に収納される。
（カップ保持具100の収納位置への移動）
一方、ホルダー本体50を押し込むと、図１２に示すように、カップ保持具100も折り畳まれながら、スライダー40内に収納される。
【００７０】
すなわち、第１アーム150の円弧状の外側面が、スライダー40に押され、第１付勢手段152のばね力に抗して、その軸151を中心としてカップ穴51を縮径する方向に回転する。
第１アーム150が回転することで、軸161で連結された第２アーム160も移動し、そのトレースピン190が帰路185を通って収納部182に移動することで、第１アーム150と第２アーム160とが折り畳まれた状態でスライダー40内に収納される。
（第２の実施の形態）
つぎに、図１５を用いて、本発明の第２の実施の形態について、以下に説明する。
【００７１】
本実施の形態の特徴とは、先に説明した第１の実施の形態の第２付勢手段162と第３付勢手段191とを、１個の兼用付勢手段200を用いて兼用することができるようにしたものである。
すなわち、トレースピン190を第２アーム160に一体的に成形し、第２アーム160を軸161を介して第１アーム150に連結する。
【００７２】
兼用付勢手段200には、スプリングを使用し、図１５に示すように、軸161に通されている。
そして、スプリングの両巻き端部を第１アーム150と第２アーム160とにそれぞれ係止することで、スプリングが巻き解くばね復元力により、第２アーム160をその軸161を中心にカップ穴51を縮径する方向に付勢する。
【００７３】
また、スプリングを第１アーム150と第２アーム160との間で圧縮することで、そのばね復元力により、第２アーム160全体をガイド溝180の底に向かって付勢する。
なお、兼用付勢手段200は、スプリングに限定されず、他のばね等を使用しても良い。
本実施例によれば、スプリングの使用個数を減少することができる。また、トレースピン190を第２アーム160に一体的に成形した場合には、部品点数を減少することができる。
【００７４】
なお、トレースピン190を第２アーム160に一体的に成形したが、これに限定されず、第２アーム160とトレースピン190とを別体として、第２アーム160にトレースピン190を固定しても良い。
【図面の簡単な説明】
【００７５】
【図１】ホルダー本体を引き出した状態のカップホルダー装置の側面図である。
【図２】ホルダー本体を引き出した状態のカップホルダー装置の斜視図である。
【図３】ホルダー本体を引き出した状態のカップホルダー装置の平面図である。
【図４】カップ受け具の分解斜視図である。
【図５】カップ保持具の平面図である。
【図６】第１、第２アームの斜視図である。
【図７】第２アームの斜視図である。
【図８】ガイド溝の斜視図である。
【図９】カップ保持具の動作を説明するための平面図である。
【図１０】ホルダー本体の収納状態のカップホルダー装置の側面図である。
【図１１】ホルダー本体を押し込む途中のカップホルダー装置の側面図である。
【図１２】ホルダー本体を押し込む途中のカップホルダー装置の平面図である。
【図１３】図１１の状態からホルダー本体を更に押し込んだ状態を示すカップホルダー装置の側面図である。
【図１４】図１３の状態からホルダー本体を更に押し込んだ状態を示すカップホルダー装置の側面図である。
【図１５】本発明の第二の実施の形態の一例を示し、同図はカップ保持具の一部斜視図である。
【符号の説明】
【００７６】
（第一の実施の形態）
10  カップホルダー装置        20  インストルメント・パネル
21  出入り口                  30  取付ベース
40  スライダー                41  弾性突起部
50  ホルダー本体              51  カップ穴
52  カップ収納部              53  取手部
54  ガイド筒                  60  カップ受け具
70  ロック手段                71  ロックピン
72  カム溝                    80  押出装置
90  摺接装置                 100  カップ保持具
110  カップ押圧具             111  押圧手段
120  第１カップ受け部         121  軸
122  第１載置部               123  第１突出手段
130  第２カップ受け部         131  軸
132  第２載置部               133  第２突出手段
140  折り畳み手段             141  フック
142  バー                     143  切欠部
150  第１アーム               151  軸
152  第１付勢手段             160  第２アーム
161  軸                       162  第２付勢手段
170  ガイド装置               180  ガイド溝
181  島                       182  収納部
183  往路                     184  展開部
185  帰路                     186  ロック部
190  トレースピン             191  第３付勢手段
Ｃ  カップ
（第二の実施の形態）
200  兼用付勢手段
【図１】
2005096614.tif 000003
【図２】
2005096614.tif 000004
【図３】
2005096614.tif 000005
【図４】
2005096614.tif 000006
【図５】
2005096614.tif 000007
【図６】
2005096614.tif 000008
【図７】
2005096614.tif 000009
【図８】
2005096614.tif 000010
【図９】
2005096614.tif 000011
【図１０】
2005096614.tif 000012
【図１１】
2005096614.tif 000013
【図１２】
2005096614.tif 000014
【図１３】
2005096614.tif 000015
【図１４】
2005096614.tif 000016
【図１５】
2005096614.tif 000017